(57)【要約】      （修正有）【課題】マーカーをポケットに入れることなく、かつ、プレーの邪魔になることなく、プレイヤー自らがマーカーを携帯できるプラスチック製マーカークリップを提供する。【解決手段】板状の基部１と、前記基部の一端からＵ字状に折り曲がって、前記基部との間に適当な幅を持って前記基部とほぼ平行にのびる第一舌部２と、前記基部の他端から前記第一舌部と反対方向にＵ字状に折り曲がって、前記基部との間に適当な幅を持って前記基部とほぼ平行にのびる第二舌部３とを一体的に成形して成り、前記第一舌部と基部とが、それらの間でマーカーを弾性的に挟持し得る挟持力を有し、前記第二舌部と基部とが、それらの間で、帽子の庇等の適当な厚みを有する保持手段を弾性的に挟持し得る挟持力を持たせる。【選択図】図３
0003148346.tif 000002
【実用新案登録請求の範囲】
【請求項１】
板状の基部と、
前記基部の一端からＵ字状に折り曲がって、前記基部との間に適当な幅を持って前記基部とほぼ平行にのびる第一舌部と、
前記基部の他端から前記第一舌部と反対方向にＵ字状に折り曲がって、前記基部との間に適当な幅を持って前記基部とほぼ平行にのびる第二舌部と
を一体的に成形して成り、
前記第一舌部と基部とが、それらの間でマーカーを弾性的に挟持し得る挟持力を有し、
前記第二舌部と基部とが、それらの間で、適当な厚みを有する適当な保持手段を弾性的に挟持し得る挟持力を有する
ことを特徴とするプラスチック製マーカークリップ。
【請求項２】
前記第一舌部及び／又は第二舌部が、挟持力を強めるために基部に向けて折れ曲がる段部を備えている
ことを特徴とする請求項１に記載のマーカークリップ。
【請求項３】
前記第一舌部が、ピン付きマーカーのピンを通すためのスリットを備えている
ことを特徴とする請求項１又は２に記載のマーカークリップ。
【考案の詳細な説明】
【技術分野】
【０００１】
本考案は、ゴルフのグリーン上で使用するマーカーを保持するためのプラスチック製のマーカークリップに関する。
【背景技術】
【０００２】
ゴルフ場では、通常、ボールがグリーンに載ると、次のプレイヤーのパッティングの妨げにならないように、ボールをマーカーに置き換えて、自分のパッティングの順番を待つ。
そして、自分のパッティングの順番がきたら、マーカーをボールに置き換えて、パッティングを行う。
このため、通常、プレイヤーは自分専用のマーカーを持ってプレーを行う。
マーカーはポケットに入れて持ち運ぶことが多いが、プレイヤーのポケットには、マーカーの他にも、複数のティーペッグやボール等のゴルフ用品が入れられているため、小さくて薄いマーカーをポケットの中から探し出すのは面倒である。
このような問題を解決するために、パターのシャフトの上端部に穴を開けて、そこにピン付きマーカーを差し込んで保持することができるようにしたパターが提案されている（特許文献１）。
【０００３】
【特許文献１】特開２０００−７０４２２
【考案の開示】
【考案が解決しようとする課題】
【０００４】
上記したピン付きマーカーを保持することができるパターは、色々なゴルフ用品が入れられているポケットの中からマーカーを探す必要がなくなるので便利であるが、近頃は、ピンが付いていないマーカーが多く使用されているため、ピンを差し込んでマーカーを保持するタイプのパターでは、ピンが付いていないマーカーを保持できないとうい問題がある。
また、従来のようにパターにマーカーを保持していると、パターを手に持っていなければマーカーを使用することができないという問題もある。具体的には、グリーン上にボールを載せるためのショットは、主として、パターではなく、他のゴルフクラブで行うため、グリーン上にボールを載せた直後はプレイヤーはパターを手に持っていないことが多い。パターにマーカーを保持していると、グリーン上にボールが載った後、パターを自らキャリーバッグに取りに行ったり、パターをキャディーに運んできてもらったりして、パターを手に持つまでの間は、マーカーが使用できないという問題がある。
本考案は、上記した従来の問題点を解消し、マーカーをポケットに入れることなく、かつ、プレーの邪魔になることなく、プレイヤー自らがマーカーを携帯することができるプラスチック製マーカークリップを提供することを目的としている。
【課題を解決するための手段】
【０００５】
上記した目的を達成するために、本考案に係るプラスチック製マーカークリップは、板状の基部と、前記基部の一端からＵ字状に折り曲がって、前記基部との間に適当な幅を持って前記基部とほぼ平行にのびる第一舌部と、前記基部の他端から前記第一舌部と反対方向にＵ字状に折り曲がって、前記基部との間に適当な幅を持って前記基部とほぼ平行にのびる第二舌部とを一体的に成形して成り、前記第一舌部と基部とが、それらの間でマーカーを弾性的に挟持し得る挟持力を有し、前記第二舌部と基部とが、それらの間で、適当な厚みを有する適当な保持手段を弾性的に挟持し得る挟持力を有することを特徴とする。
【考案の効果】
【０００６】
本考案に係るプラスチック製マーカークリップは、板状の基部と、前記基部の一端からＵ字状に折り曲がって、前記基部との間に適当な幅を持って前記基部とほぼ平行にのびる第一舌部と、前記基部の他端から前記第一舌部と反対方向にＵ字状に折り曲がって、前記基部との間に適当な幅を持って前記基部とほぼ平行にのびる第二舌部とを一体的に成形して成り、前記第一舌部と基部とが、それらの間でマーカーを弾性的に挟持し得る挟持力を有し、前記第二舌部と基部とが、それらの間で、適当な厚みを有する適当な保持手段を弾性的に挟持し得る挟持力を有するので、プレイヤーは、第一舌部と基部との間にマーカーを挟んでマーカーを保持させた状態で、第二舌部と基部との間で、帽子のツバや衣服等の適当な保持手段を挟んでクリップ自体を帽子や衣服に保持させることで、プレーの邪魔になることなく、かつ、ポケットに入れることなくマーカーを持ち歩くことができるようになる。また、本考案に係るプラスチック製マーカークリップは、全体をプラスチックで一体成形しているので、安価に製造することができる。
また、マーカーを挟持するための第一舌部を、前記基部の一端からＵ字状に折り曲がって、前記基部との間に適当な幅を持って前記基部とほぼ平行にのびるように形成し、衣服や帽子等の適当な保持手段を挟持するための第二舌部を、前記基部の他端から前記第一舌部と反対方向にＵ字状に折り曲がって、前記基部との間に適当な幅を持って前記基部とほぼ平行にのびるように形成することにより、第一舌部と基部とによって画定されるマーカーの挿入口と、第二舌部と基部とによって画定される衣服等の保持手段の挿入口とが逆方向を向くことになる。従って、第二舌部と基部との間で衣服や帽子等を挟持してマーカークリップを衣服や帽子等に止めた状態で、マーカーの挿入口が外側を向くことになるので、マーカークリップを衣服や帽子等に止めたまま、マーカーの取付や取外しが簡単に行えるようになる。
前記第一舌部及び／又は第二舌部が、挟持力を強めるために基部に向けて折れ曲がる段部を設けることによってマーカー及び／又はクリップ自体を保持する力を強めることができ、マーカー及び／又はクリップを落とす心配がなくなる。
さらに、前記第一舌部に、ピン付きマーカーのピンを通すためのスリットを設けることにより、ピン付きマーカーもピンなしマーカーも保持することができるようになる。
【考案を実施するための最良の形態】
【０００７】
以下、添付図面に示した一実施例を参照しながら、本考案に係るプラスチック製マーカークリップの実施の形態を説明していく。
図１は、本考案に係るプラスチック製マーカークリップの一実施例の上面図であり、図２は図１における左側面図であり、図３は図１に示したマーカークリップを左斜め上方から見た斜視図である。
図中、符号１は基部を、符号２は第一舌部を、符号３は第二舌部を示している。
第一舌部２は、基部１の一端から上方にＵ字状に折れ曲がっており、基部１との間に適当な幅を持って基部１とほぼ平行に伸びている。また、この第一舌部２は、基部１に向けて折れ曲がる段部２ａを備え、この段部２ａと基部１との間で不図示のマーカーを挟持するように構成されている。さらに、第一舌部２の端部２ｂは基部１から離れる方向に持ち上げられており、厚みや形状に関係なくマーカーを第一舌部２と基部１との間に挿入し易いように形成されている。
第二舌部３は、基部１の他端から下方にＵ字状に折れ曲がっており、基部１との間に適当な幅を持って基部１とほぼ平行に伸びている。そして、この第二舌部３と基部１との間に帽子のツバや衣服等を挿入して、これらの間で帽子のツバや衣服等を挟持することによって、クリップ自体を帽子や衣服等の適当な保持手段に保持させることができるように形成されている。図４は、クリップを帽子のツバに保持させた状態を示している。
上記したように構成されたプラスチック製マーカークリップは、プラスチック材料で全体が一体成形されている。
【０００８】
図５は、本考案に係るプラスチック製マーカークリップの第二の実施例の概略上面図である。
図１〜図４に示した第一実施例の構成要素と同じ要素には、第一実施例と同じ符号を付して、ここでは詳細な説明は省略する。
図面に示すように、この第二実施例に係るマーカークリップは、第一舌部２に、長手方向に伸びるスリット２ｃが形成されており、これにより、ピン付きのマーカーでも、第一舌部２と基部１との間で挟持することができるように形成されている。
【図面の簡単な説明】
【０００９】
【図１】本考案に係るプラスチック製マーカークリップの一実施例の上面図である。
【図２】図１における左側面図である。
【図３】図１に示したマーカークリップを左斜め上方から見た斜視図である。
【図４】図１〜図３に示したマーカークリップを帽子のツバに装着した状態を示す図である。
【図５】本考案に係るプラスチック製マーカークリップの第二実施例の上面図である。
【符号の説明】
【００１０】
１  基部
２  第一舌部
２ａ  段部
２ｂ  端部
２ｃ  スリット
３  第二舌部
【図１】
0003148346.tif 000003
【図２】
0003148346.tif 000004
【図３】
0003148346.tif 000005
【図４】
0003148346.tif 000006
【図５】
0003148346.tif 000007